(57)【要約】【課題】被取付体に対して比較的簡単に取り付けることができ、作業エリアが狭くても良好な着脱作業性を確保し得るように改良されたセンサ固定部の構造を提供する。【解決手段】その外面に第１の係合部（突起２３）及び第２の係合部（突起１４）が形成されたセンサ本体（１）と、前記第１の係合部に係合する弾性係合片（２４）が設けられ、被取付体（３）の前面に当接する化粧プレート（８）と、センサ本体を受容する受容部（１３）及び前記第２の係合部に係合する弾性係合片（１４）が設けられ、被取付体に固定されるセンサホルダ（５）とを有しており、センサホルダの弾性係合片を、前記第２の係合部から係合解除する向きに強制的に撓曲させることが常時可能なものとし、化粧プレートの弾性係合片を、受容部にセンサ本体を装着すると受容部の内面とセンサ本体の外面との間に挟まれて変形不能となるものとする。【選択図】　　　図１
2004077280.tif 000002
【特許請求の範囲】
【請求項１】
その外面に第１の係合部及び第２の係合部を有するセンサ本体と、
前記第１の係合部に係合する弾性係合片を有し、被取付体の前面に当接する化粧プレートと、
前記センサ本体を受容する受容部及び前記第２の係合部に係合する弾性係合片を有し、被取付体に固定されるセンサホルダとを有すると共に、
前記センサホルダの弾性係合片は、前記第２の係合部から係合解除する向きに強制的に撓曲させることが常時可能とされ、
前記化粧プレートの弾性係合片は、前記受容部に前記センサ本体を装着すると前記受容部の内面と前記センサ本体の外面との間に挟まれて変形不能となるようにされることを特徴とするセンサ固定部の構造。
【請求項２】
前記センサホルダは、前記被取付体の前面に当接するフランジを有しており、前記被取付体の背面に当接するバックプレートと前記フランジとの間に被取付体を挟んだ状態で前記フランジの前面からバックプレートにビスを螺着して前記被取付体に固定されることを特徴とする請求項１に記載のセンサ固定部の構造。
【請求項３】
当該センサは、男性用小便器の前面に設けられる人体感知センサであることを特徴とする請求項１に記載のセンサ固定部の構造。
【発明の詳細な説明】
【０００１】
【発明の属する技術分野】
本発明は、センサ固定部の構造に関し、特に背面の作業エリアが狭くても良好な着脱作業性を確保し得るように改良されたセンサ固定部の構造に関するものである。
【０００２】
【従来の技術】
人体の接離に応じて洗浄水を自動的に流出させるために、人体感知センサＳを設けた男性用小便器が知られている（図４参照）。
【０００３】
この人体感知センサＳが取り付けられる小便器は、タッピングスクリューが利かない上、予め開けておいた孔に挿通したねじを締め付け過ぎると割れを生じかねない陶製であるため、その取り付け作業性を高めることが困難であった。また、背面側の作業エリアを十分に広くすることができないため、センサが故障した際などの交換作業も厄介になりがちであった。
【０００４】
【発明が解決しようとする課題】
本発明は、このような従来技術の問題点を解消すべく案出されたものであり、その主な目的は、被取付体に対して比較的簡単に取り付けることができ、作業エリアが狭くても良好な着脱作業性を確保し得るように改良されたセンサ固定部の構造を提供することにある。
【０００５】
【課題を解決するための手段】
このような目的を果たすために、本発明の請求項１においては、その外面に第１の係合部（突起２３）及び第２の係合部（突起１４）を有するセンサ本体（１）と、前記第１の係合部に係合する弾性係合片（２４）を有し、被取付体（３）の前面に当接する化粧プレート（８）と、センサ本体を受容する受容部（１３）及び前記第２の係合部に係合する弾性係合片（１４）を有し、被取付体に固定されるセンサホルダ（５）とを有すると共に、センサホルダの弾性係合片は、前記第２の係合部から係合解除する向きに強制的に撓曲させることが常時可能とされ、化粧プレートの弾性係合片は、受容部にセンサ本体を装着すると受容部の内面とセンサ本体の外面との間に挟まれて変形不能となるようにされることを特徴とするセンサ固定部の構造を提供することとした。
【０００６】
このようにすれば、化粧プレートの弾性係合片をセンサ本体に係合させた状態で、センサ本体をセンサホルダの受容部に押し込めば、センサホルダの弾性係合片がセンサ本体に係合し、化粧プレート及びセンサ本体がセンサホルダに結合される。
【０００７】
センサ本体を取り付けた状態では、被取付体の前面に露出する化粧プレートの弾性係合片は撓曲不能となるので、化粧プレートを被取付体から取り外すことはできず、化粧プレート及びセンサ本体の被取付体に対する確実な固定が可能となる。
【０００８】
センサ本体をセンサホルダから取り外すには、被取付体の裏面からセンサホルダの弾性係合片を撓ませれば、センサ本体との係合が解除されるので、その状態のまま前方へ押し出せば、化粧プレートが係合したままのセンサ本体をセンサホルダから簡単に分離することができる。センサホルダから取り外せば、化粧プレートの弾性係合片が撓曲可能となるので、センサ本体と化粧プレートとを互いに分離することができる。
【０００９】
特に、被取付体の前面に当接するフランジ（１２）をセンサホルダに形成し、このフランジと被取付体の背面に当接するバックプレート（７）との間に被取付体を挟んだ状態でフランジの前面からバックプレートにビス（タッピングスクリュー６）を螺着してセンサホルダを被取付体に固定するものとすれば（請求項２）、被取付体に対する負荷を高めずに確実にセンサホルダを固定することができる。
【００１０】
また、男性用小便器の前面に設けられる人体感知センサ（Ｓ）に当該センサを適用するものとすれば（請求項３）、自動洗浄式小便器の製造工数を削減し得る。
【００１１】
【発明の実施の形態】
以下に添付の図面を参照して本発明の構成を詳細に説明する。
【００１２】
図１〜図３は、本発明に基づき構成されたセンサ本体並びにその取付具を示している。このセンサ本体１は、例えば従来技術の項で述べた男性用小便器等に設けられる人体感知センサＳ等であり、これを例えば陶製の被取付体に固定するための取付具２は、図１に示したように、被取付体３に設けられた取付孔４に前方から装着されるセンサホルダ５と、被取付体３の背面に当接し、センサホルダ５の前面側からタッピングスクリュー６（図２）を螺着させてセンサホルダ５を被取付体３に固定するためのバックプレート７と、センサホルダ５の前面を隠すために被取付体３の前面に当接する化粧プレート８とからなっている。なお、化粧プレート８の中央部に設けられた感知窓９には、シール部材１０を介して防護ガラス１１が取り付けられている（図２、図３）。
【００１３】
センサホルダ５は、被取付体３の前面に当接するフランジ１２と、概ね角筒状をなすセンサ受容部１３とからなっている。センサ受容部１３の上壁の左右方向中央部には、センサ本体１の上面に突設された突起１４（第２の係合部）に係合すべく、上下方向に撓曲可能な弾性係合片１５が、水平方向に突出形成されている。そして下壁の左右方向中央部には、上向きに圧接力を働かせる弾発片１６が形成されている。また上下壁の後端縁には、バックプレート７に係合可能な抜け止め突起１７が形成され、左右側壁には、タッピングスクリュー６の挿通部１８が形成されている。
【００１４】
バックプレート７には、被取付体３の背面に当接するフランジ１９と、センサホルダ５のセンサ受容部１３を挿通する開口２０と、タッピングスクリュー６をねじ込むためのボス部２１とが形成されている。
【００１５】
化粧プレート８には、その背面にシール部材１０及び防護ガラス１１の取付部２２が形成されている。そしてシール部材１０及び防護ガラス１１の取付部２２の左右両側から、センサ本体１の両側面に形成された突起２３（第１の係合部）に弾発係合すべく、左右方向に撓曲可能な弾性係合片２４が、後方へ突出形成されている。
【００１６】
次に取付具２の被取付体３に対する取付要領について説明する。先ず、被取付体３に形成された取付孔４に、前面からセンサホルダ５を装着すると共に、被取付体３の背面にバックプレート７を当接させる。これにより、センサ受容部１３の突起１７がバックプレート７の開口２０に係合し、両者が仮留め状態となる。この状態、つまりセンサホルダ５のフランジ１２とバックプレート７のフランジ１９との間に被取付体３を挟み込んだ状態で、バックプレート７のボス部２１に前方からタッピングスクリュー６を螺着し、センサホルダ５を被取付体３に固定する。
【００１７】
次に、センサ本体１の感知面に、防護ガラス１１と共に化粧プレート８を装着する。この時、化粧プレート８の弾性係合片２４が外向きに撓み、弾性係合片２４に形成された矩形孔２４ａが、センサ本体１の両側面の突起２３に係合する。
【００１８】
化粧プレート８が装着されたセンサ本体１を、その後部からセンサホルダ５のセンサ受容部１３に挿入する。このとき、センサホルダ５と化粧プレート８との間（センサ受容部１３の内周と取付部２２の外周との間）は、その公差が止まり嵌めに製造されており、幾分か抵抗があるが、そのまま無理に押し込む。
【００１９】
化粧プレート８と共にセンサ本体１をセンサ受容部１３に一杯押し込むと、センサホルダ５の弾性係合片１５が上向きに撓みつつ、弾性係合片１５に形成された矩形孔１５ａがセンサ本体１の上面の突起１４に係合する。この状態で下側の弾発片１６が上向きに圧接力を作用させるので、センサホルダ５の弾性係合片１５とセンサ本体１の突起１４との結合が確実になされる。
【００２０】
他方、センサ本体１がセンサ受容部１３に一杯押し込まれると、化粧プレート８の側方の弾性係合片２４は、センサ本体１の外側面とセンサ受容部１３の内側面との間に挟まれるので、センサ本体１をセンサホルダ５に取り付けた状態では、弾性係合片２４は側方へ変形不能であり、これにより、前方から化粧プレート８を取り外すことは不能となる。
【００２１】
センサ本体１を取り外すには、例えば被取付体３の上方から背面へアクセスし（図４に示す小便器の場合、上面の蓋Ｃが取り外せる）、背面からセンサホルダ５の弾性係合片１５を上向きに（図３の矢印Ａ）変形させてセンサ本体１の上面の突起１４から弾性係合片１５の係合を解除し、その状態のままセンサ本体１を前方へ押し出せば、化粧プレート８と共にセンサ本体１を前方へ押し出すことができる。
【００２２】
センサホルダ５からセンサ本体１を取り外せば、化粧プレート８の弾性係合片２４は側方へ変形可能となるので、センサ本体１から化粧プレート８を簡単に取り外すことができる。
【００２３】
ところで、このようなセンサは、その指向性の都合から、例えば上下の向きを規定しなければならない場合がある。そのような場合には、組付けを誤ると指向性が逆になってしまうので、特に本実施例に示したもののように、上下並びに左右が対称形のものの場合は、組立工程において誤組立てが生じないように何らかの対策が取られていることが好ましい。
【００２４】
このような観点に立ち、本実施例においては、センサホルダ５のフランジ１２と化粧プレート８との互いの対向部の左右方向片側のみに、突起３１と凹部３２とからなる相互係合手段を設け、センサホルダ５と化粧プレート８との組み付け時の方向性が規定されるようにしている。また、化粧プレート８の弾発係合片２４の輪郭に対応したリブ３３ａ・３３ｂをセンサ本体１の側面に形成すると共に、弾発係合片２４の付け根の上側のみに凸部３４を形成し、且つ上側のリブ３３ａの前端位置のみを凸部３４の分だけ引っ込ませることにより、上下の方向性を誤ると、センサ本体１と化粧プレート８とが正確に組み立てられなくなるようにしている。
【００２５】
以上、本発明に係わる一実施例について説明したが、本発明は、上記実施例に限定されず、例えば、大便器、自動水栓、温風乾燥機、或いは自動ドアなど、色々な分野のセンサの取付部に適用可能である。
【００２６】
【発明の効果】
以上詳述した通り本発明によれば、部品点数の増大を招かずにセンサ本体の着脱性を向上することができるので、組立作業性の向上並びに保守性の向上を図る上に多大な効果を奏することができる。
【図面の簡単な説明】
【図１】本発明に係わるセンサ本体及びその取付具の構成を示す分解斜視図
【図２】組立状態を示す側断面図
【図３】組立状態を示す平断面図
【図４】本発明が適用された男性用小便器の全体斜視図
【符号の説明】
１　センサ本体
２　取付具
３　被取付体
４　取付孔
５　センサホルダ
６　タッピングスクリュー
７　バックプレート
８　化粧プレート
９　感知窓
１０　シール部材
１１　防護ガラス
１２　フランジ
１３　センサ受容部
１４　突起
１５　弾性係合片
１６　弾発片
１７　抜け止め突起
１８　タッピングスクリュー挿通部
１９　フランジ
２０　開口
２１　ボス部
２２　取付部
２３　突起
２４　弾発係合片
【図１】
2004077280.tif 000003
【図２】
2004077280.tif 000004
【図３】
2004077280.tif 000005
【図４】
2004077280.tif 000006